(57)【要約】【課題】電動機や分離籠の中心の位置でもクランプを配置してジュース回収容器を挟持して蓋を固定できるスイッチのインターロックを備えたジューサーをえる。【解決手段】電動機２を内蔵する本体１と、前記本体１に載置されるジュース回収容器６と、前記ジュース回収容器６内に配置され前記電動機２により回転駆動されカッター４を有する分離籠５と、前記ジュース回収容器６を覆う蓋７と、前記電動機２を入り切りするスイッチ１１と、前記本体１に上下動自在に取り付けられ前記ジュース回収容器６を挟持して前記蓋７を固定する複数個のクランプ１０と、前記複数個のクランプ１０の上下動に連動してそれぞれが独立して動作するアーム２２、リンク板２０、スライド板１６からなるインターロック装置を備えたもので、各クランプ１０を直接連結する軸がなくなるため電動機２や分離籠５の中心の位置でもクランプを配置することができる。【選択図】図１
2006095029.tif 000002
【特許請求の範囲】
【請求項１】
電動機を内蔵する本体と、前記本体に載置されるジュース回収容器と、前記ジュース回収容器内に配置され前記電動機により回転駆動されカッターを有する分離籠と、前記ジュース回収容器を覆う蓋と、前記電動機を入り切りするスイッチと、前記本体に上下動自在に取り付けられ前記ジュース回収容器を挟持して前記蓋を固定する複数個のクランプと、前記複数個のクランプの上下動に連動してそれぞれが独立して動作する機械式のインターロック装置を備えたジューサー。
【請求項２】
クランプを２個設けた請求項１に記載のジューサー。
【請求項３】
クランプと同数で、前記クランプの上下動に連動して揺動するように軸支したアームを介してスイッチにインターロックをかけるようにした請求項１又は２に記載のジューサー。
【請求項４】
スイッチは、ラッチ部とインターロック部を有すると共に一方向に付勢されたスライド板と、上下動自在に支持されそれぞれがアームと連動しかつ前記アームと同数のリンク板を備え、前記リンク板が前記スライド板に設けた斜面に当接して前記スライド板を移動させ前記スイッチにインターロックをかけるようにした請求項３に記載のジューサー。
【請求項５】
リンク板をスイッチに一体的に形成した請求項４に記載のジューサー。
【請求項６】
リンク板を付勢する付勢部材で、アームを介してクランプを付勢するようにした請求項４又は５に記載のジューサー。
【請求項７】
アームとリンク板、およびアームとクランプのそれぞれの力の作用点を結んだ直線にほぼ垂直に前記アームを軸支した請求項４〜６のいずれか１項に記載のジューサー。
【請求項８】
アームを一方向に付勢した請求項４〜７のいずれか１項に記載のジューサー。
【請求項９】
本体に着脱自在に載置するミキサーコップと、前記本体に前記ミキサーコップが載置されると下降するピンを備え、前記ピンが下降するとスイッチのインターロックが解除されるようにした請求項１〜８のいずれか１項に記載のジューサー。
【請求項１０】
ピンが下降するとすべてのリンク板が下降しスイッチのインターロックが解除されるようにした請求項９に記載のジューサー。
【請求項１１】
リンク板を付勢する付勢部材で、ピンを上方に付勢するようにした請求項１０に記載のジューサー。
【発明の詳細な説明】
【技術分野】
【０００１】
本発明は、家庭用のジューサーに関するもので、特に、スイッチのインターロックに関するものである。
【背景技術】
【０００２】
従来のこの種のジューサーは、電動機を内蔵した本体と、前記本体に載置されるジュース回収容器と、前記ジュース回収容器に内包されると共に前記電動機の回転軸に連結される分離籠と、前記ジュース回収容器の上部開口を覆う蓋と、前記本体に回動自在にかつ上下可動に設けられ、１本の軸で連結された２個のクランプを備え、前記クランプで前記ジュース回収容器を挟持するように蓋を固定するようになっている（例えば、特許文献１参照）。
【０００３】
前記クランプで蓋を正規の位置に固定していないときにスイッチが入らないように、スイッチのインターロックを設ける場合は、クランプを連結する軸の上下動に連動させてスイッチにインターロックをかけるようにしている。
【特許文献１】実開昭４９−１０４４８９号公報
【発明の開示】
【発明が解決しようとする課題】
【０００４】
しかしながら、前記従来のジューサーの構成によると、クランプを連結する軸は、本体外へ貫通している電動機の回転軸周辺には配置できないため、クランプを、本体の構成の中心である電動機や分離籠の中心からずらして設けなければならないという課題を有していた。
【０００５】
本発明は、前記従来の課題を解決するもので、電動機や分離籠の中心の位置でもクランプを配置してジュース回収容器を挟持して蓋を固定できるスイッチのインターロックを備えたジューサーを提供することを目的とする。
【課題を解決するための手段】
【０００６】
前記従来の課題を解決するために、本発明のジューサーは、電動機を内蔵する本体と、前記本体に載置されるジュース回収容器と、前記ジュース回収容器内に配置され前記電動機により回転駆動されカッターを有する分離籠と、前記ジュース回収容器を覆う蓋と、前記電動機を入り切りするスイッチと、前記本体に上下動自在に取り付けられ前記ジュース回収容器を挟持して前記蓋を固定する複数個のクランプと、前記複数個のクランプの上下動に連動してそれぞれが独立して動作する機械式のインターロック装置を備えたもので、各クランプを連結する軸がなくなるため電動機や分離籠の中心の位置でもクランプを配置することができる。
【発明の効果】
【０００７】
本発明のジューサーは、本体に上下動自在に取り付けた複数個のクランプに連動してそれぞれが独立して動作するスイッチの機械式のインターロック装置を配置することにより、各クランプを連結する軸が不用となり、電動機や分離籠の中心の位置でもクランプを配置することができる。
【発明を実施するための最良の形態】
【０００８】
第１の発明は、電動機を内蔵する本体と、前記本体に載置されるジュース回収容器と、前記ジュース回収容器内に配置され前記電動機により回転駆動されカッターを有する分離籠と、前記ジュース回収容器を覆う蓋と、前記電動機を入り切りするスイッチと、前記本体に上下動自在に取り付けられ前記ジュース回収容器を挟持して前記蓋を固定する複数個のクランプと、前記複数個のクランプの上下動に連動してそれぞれが独立して動作する機械式のインターロック装置を備えたもので、各クランプを連結する軸がなくなるため電動機や分離籠の中心の位置でもクランプを配置することができる。
【０００９】
第２の発明は、特に、第１の発明のクランプを２個設けたもので、第１の発明と同様にクランプを連結する軸がなくなるため電動機や分離籠の中心の位置にクランプを配置できるので、２個のクランプでも、確実に蓋を固定することができる。
【００１０】
第３の発明は、特に、第１又は第２の発明のクランプと同数で、前記クランプの上下動に連動して揺動するように軸支したアームを介してスイッチにインターロックをかけるようにしたもので、第１の発明と同様に電動機や分離籠の中心の位置にクランプを配置することができる。
【００１１】
第４の発明は、特に、第３の発明のスイッチは、ラッチ部とインターロック部を有すると共に一方向に付勢されたスライド板と、上下動自在に支持されそれぞれがアームと連動しかつ前記アームと同数のリンク板を備え、前記リンク板が前記スライド板に設けた斜面に当接して前記スライド板を移動させ前記スイッチにインターロックをかけるようにしたもので、第１の発明と同様に電動機や分離籠の中心の位置にクランプを配置することができる。
【００１２】
第５の発明は、特に、第４の発明のリンク板をスイッチに一体的に形成したもので、リンク板とスイッチに設けたスライド板との位置関係の取り付け精度を高くすることができる。
【００１３】
第６の発明は、特に、第４又は第５の発明のリンク板を付勢する付勢部材で、アームを介してクランプを付勢するようにしたもので、構成を簡略化し、コストを下げることができる。
【００１４】
第７の発明は、特に、第４〜６のいずれか一つの発明のアームとリンク板、およびアームとクランプのそれぞれの力の作用点を結んだ直線にほぼ垂直に前記アームを軸支したもので、アームがねじれにくくなり、クランプからの力を効率的に伝達できるようになる。
【００１５】
第８の発明は、特に、第４〜７のいずれか一つの発明のアームを一方向に付勢したもので、運転中の振動によりアームから発生するびびり音をなくすことができる。
【００１６】
第９の発明は、特に、第１〜８のいずれか一つの発明の本体に着脱自在に載置するミキサーコップと、前記本体に前記ミキサーコップが載置されると下降するピンを備え、前記ピンが下降するとスイッチのインターロックが解除されるようにしたもので、ジューサーの使用時には第１の発明と同様に電動機や分離籠の中心の位置にクランプを配置してジュース回収容器と蓋を固定でき、同じ本体をミキサーにも兼用できると共に、ミキサーを本体に載せた時に、インターロックが解除されるので使用勝手が良い。
【００１７】
第１０の発明は、特に、第９の発明のピンが下降するとすべてのリンク板が下降しスイッチのインターロックが解除されるようにしたもので、ジューサーの使用時には第１の発明と同様に電動機や分離籠の中心の位置にクランプを配置してジュース回収容器と蓋を固定でき、同じ本体をミキサーにも兼用できるようになる。
【００１８】
第１１の発明は、特に、第１０の発明のリンク板を付勢する付勢部材で、ピンを上方に付勢するようにしたもので、ピンにミキサーコップがないとき上方に復帰させるための独立した付勢部材を設けなくても、ピンを元の位置に復帰させることができ、構成を簡略化し、コストを下げることができる。
【００１９】
以下、本発明の実施の形態について、図面を参照しながら説明する。なお、この実施の形態によって本発明が限定されるものではない。
【００２０】
（実施の形態１）
図１は、本発明の第１の実施の形態におけるジューサーの断面図、図２は、同ジューサーの内部構成を示す裏面図、図３は、同ジューサーの本体の断面図である。
【００２１】
図１〜図３において、１はジューサーの本体で、電動機２を内蔵している。電動機２の回転軸２ａの先端に設けたコネクタ３には、カッター４を底部に設けた分離籠５を着脱自在に取り付けてこれを回転駆動させている。６は、本体１上に載置されたジュース回収容器、７は、材料投入口８を備え、ジュース回収容器６の上部開口を覆う蓋であり、材料投入口８から材料を投入し、その材料を押し込み棒９で回転するカッター４に供給して切削している。切削された材料は、分離籠５を通過するジュースと分離籠５の上部開口より飛散する粕とに分離される。１０は本体１に回動自在かつ上下動自在に取り付けたクランプで本体１の左右に設けている。
【００２２】
クランプ１０は、回動させてジュース回収容器６に載っている蓋７に引っ掛けると上方に持ち上げられ、蓋７からクランプ１０を外すと下方に下がるようになっている。１１は電動機２への通電を入り、切りするためのスイッチで、それぞれ上方に付勢された入り釦１２と切り釦１３を備え、さらに、入り釦１２をラッチするためのラッチ部１４と、入り釦１２を押せなくするためのインターロック部１５を有しバネ１７で左方に付勢されたスライド板１６を備えている。また、スイッチ１１には、上下動自在に支持され夫々バネ１８で上方に付勢された２個のリンク板２０を一体的に設けており、２個のリンク板２０はスライド板１６に設けた斜面１９とそれぞれ接離するよう配置している。
【００２３】
バネ１７の付勢力は、１個のバネ１８のそれより弱く設定してあり、リンク板２０のどちらか一方が自由になると（図３に示された状態）、そのリンク板２０はバネ１８により上方に移動しスライド板１６に設けた斜面１９に当接してスライド板１６をバネ１７の付勢力に抗して右方へ移動させ、入り釦１２がラッチされていればラッチ部１４を入り釦１２から離脱させてラッチ解除するとともに、インターロック部１５により入り釦１２が押せないようになる。
【００２４】
また２個のリンク板２０がともに下方に押し下げられている時は（図１に示された状態）、スライド板１６の斜面１９から２個のリンク板２０が離れ、スイッチ１１の入り釦１２と、切り釦１３により電動機２への通電を自由に入り、切りできるようになる。
【００２５】
さらに、本体１には、クランプ１０の上下動に連動して揺動しリンク板２０を上下動させるよう軸２１により軸支された２個のアーム２２を備えており、クランプ１０を、蓋７に引っ掛けるために上方に持ち上げるとアーム２２を介してリンク板２０は押し下げられ、逆に、蓋７からクランプ１０を外すことでクランプ１０が下方に下がるとアーム２２は自由になりリンク板２０はバネ１８により上方に押し上げられる。
【００２６】
本実施の形態では、アーム２２を、バネ２３により付勢して運転中の振動によるアーム２２のびびり音をなくすようにしているが、バネ２３は無くてもバネ１８だけでリンク板２０、アーム２２、クランプ１０は上記の説明と同じ動作をすることができ、またクランプ１０は構成を簡略にしてコストを低減するためにバネ１８によりアーム２２を介して下方に付勢するようにしているがクランプ１０に別部材を追加して下方に付勢してもよい。
【００２７】
以上のように、本実施の形態によれば、２個のクランプ１０を直接連結する軸がないため電動機２や分離籠５の中心の位置にクランプを配置でき、２個所の固定でも確実性を高くすることができる。
【００２８】
また、スイッチ１１に２個のリンク板２０を一体的に設けているので、２個のリンク板２０とスライド板１６との位置関係の取り付け精度を高くすることができる。また、アーム２２をバネ２３で付勢する事により、運転中の振動によるアーム２２のびびり音をなくすことができる。また、クランプ１０を、アーム２２を介してバネ１８により下方に付勢しているので、クランプ１０専用の付勢手段が不用になり、構成を簡略にしてコストを低減することができる。
【００２９】
（実施の形態２）
図４は、本発明の第２の実施の形態におけるジューサーの裏面図である。なお、上記実施の形態と同一部分については同一符号を付してその説明を省略する。
【００３０】
本実施の形態は、図４に示すように、アーム２４とリンク板２０、およびアーム２４とクランプ１０のそれぞれの力の作用点を結んだ直線にほぼ垂直に、アーム２４を軸２５により軸支したものである。その他の構成は上記第１の実施の形態と同じである。上記構成により、アーム２４がねじれにくくなりクランプ１０からの力を効率的に伝達できるようになる。
【００３１】
（実施の形態３）
図５は、本発明の第３の実施の形態におけるジューサーにミキサーコップを載せた時の断面図、図６は、同ジューサーからミキサーコップを外した時の断面図である。なお、上記実施の形態と同一部分については同一符号を付してその説明を省略する。
【００３２】
２６は、ジュース回収容器を取り外した本体３０上に着脱自在に載置しコネクタ３により駆動されるミキサーコップである。電動機２への通電を入り、切りするスイッチ２８は、ミキサーコップ２６が載置された時に下降するピン２７を備え、ピン２７がすべてのリンク板２０に係合して、ピン２７が下降するとすべてのリンク板２０が下降し、インターロックが解除されるようにしている。ピン２７は、リンク板２０を付勢するバネ１８により上方に付勢されている。その他の構成は第１の実施の形態と同じである。
【００３３】
以上のように、本実施の形態によれば、ジューサーとして使用する本体１をミキサーにも兼用でき、またピン２７を、リンク板２０を付勢するバネ１８で付勢するようにしているので、ミキサーコップ２６がないときピン２７を上方に復帰させるための独立した付勢部材を設けなくても、ピン２７が復帰できるようになり構成を簡略化しコストを下げることができる。
【産業上の利用可能性】
【００３４】
以上のように本発明にかかるジューサーは、スイッチのインターロックに連動するクランプを自由な位置に配置できるので、デザインや、本体形状、部品の配置が自由になるもので、インターロックに連動する複数のクランプを有する各種調理機器に適用できる。
【図面の簡単な説明】
【００３５】
【図１】本発明の実施の形態１におけるジューサーの断面図
【図２】同ジューサーの裏面図
【図３】同ジューサーの本体の縦断面図
【図４】本発明の実施の形態２におけるジューサーの裏面図
【図５】本発明の実施の形態３におけるジューサーのミキサーコップを載せた状態を示す断面図
【図６】同ジューサーの本体のミキサーコップを外した状態を示す断面図
【符号の説明】
【００３６】
１、３０  本体
２  電動機
４  カッター
５  分離籠
６  ジュース回収容器
７  蓋
１０  クランプ
１１、２８  スイッチ
１４  ラッチ部
１５  インターロック部
１６  スライド板
１８  ばね（付勢部材）
１９  斜面
２０、２９  リンク板
２２、２４  アーム
２６  ミキサーコップ
２７  ピン
【図１】
2006095029.tif 000003
【図２】
2006095029.tif 000004
【図３】
2006095029.tif 000005
【図４】
2006095029.tif 000006
【図５】
2006095029.tif 000007
【図６】
2006095029.tif 000008